(57)【特許請求の範囲】
【請求項１】
移動局（ＭＳ）において非制御ハンドオーバーを行う方法であって、
前記移動局が、サービング基地局のリソース維持タイマーが満了したか否かを決定するステップであって、該リソース維持タイマーは、前記サービング基地局が前記移動局のコンテクストを維持する時間を示すステップと、
前記リソース維持タイマーが満了していない場合、ターゲット基地局（ＴＢＳ）へのネットワーク再進入手順の間、前記サービング基地局の基地局識別子及び前記移動局を識別するために前記サービング基地局で使用されるステーション識別子を含むレンジング要請メッセージを、前記移動局が前記ターゲット基地局に送信するステップと、
前記レンジング要請メッセージに応じて、前記移動局が前記ターゲット基地局からレンジング応答メッセージを受信するステップであって、該レンジング応答メッセージは、新たなステーション識別子が割り当てられない時に前記移動局を識別するために使用される臨時ステーション識別子、又は前記ターゲット基地局が前記移動局を識別するために使用されることになる新たなステーション識別子を含むステップと、
を有し、
前記レンジング要請メッセージ及び前記レンジング応答メッセージは、前記非制御ハンドオーバーに対して使用される、非制御ハンドオーバー方法。
【請求項２】
前記ターゲット基地局が前記移動局の所望するターゲット基地局であるとあらかじめ決定され、前記ターゲット基地局が前記サービング基地局により推奨される候補基地局でない場合、又は前記移動局が前記サービング基地局により推奨されるどの候補基地局にも到達できない場合、前記非制御ハンドオーバーが始動される、請求項１に記載の非制御ハンドオーバー方法。
【請求項３】
前記サービング基地局から、ハンドオーバー関連情報及び前記候補基地局に関する情報を含むハンドオーバー命令メッセージを受信するステップをさらに有する、請求項２に記載の非制御ハンドオーバー方法。
【請求項４】
前記ハンドオーバー関連情報は、前記ネットワーク再進入手順の開始を示す動作時間パラメータ、前記候補基地局で使用されるハンドオーバーレンジングコード、及び前記候補基地局で使用されるレンジング機会の少なくとも一つを含む、請求項３に記載の非制御ハンドオーバー方法。
【請求項５】
前記非制御ハンドオーバーの開始を指示するイベントコード、及び前記ターゲット基地局が前記移動局の前記所望するターゲット基地局であることを識別する識別子を含むハンドオーバー指示メッセージを、前記移動局が前記サービング基地局に送信するステップをさらに有する、請求項３に記載の非制御ハンドオーバー方法。
【請求項６】
前記ネットワーク再進入手順を行うためにレンジングコードを、前記移動局から前記ターゲット基地局に送信するステップと、
前記レンジングコードに対する応答として、レンジング手順に割り当てられたリソース領域に関する割当情報を含むレンジングメッセージを、前記ターゲット基地局から前記移動局が受信するステップと、
をさらに有し、
前記レンジング要請メッセージは、前記割当情報が表す前記リソース領域で送信される、請求項２に記載の非制御ハンドオーバー方法。
【請求項７】
前記レンジング応答メッセージは、ＣＭＡＣタプルをさらに含む、請求項２に記載の非制御ハンドオーバー方法。
【請求項８】
移動局（ＭＳ）、サービング基地局（ＳＢＳ）及びターゲット基地局（ＴＢＳ）間において非制御ハンドオーバーを行う方法であって、
ネットワーク再進入手順の間、前記サービング基地局の基地局識別子及び前記移動局を識別するために前記サービング基地局で使用されるステーション識別子を含むレンジング要請メッセージを、前記ターゲット基地局が前記移動局から受信するステップと、
前記レンジング要請メッセージに応じて、前記ターゲット基地局が前記移動局に、前記ターゲット基地局が前記移動局を識別するために使用されることになる新たなステーション識別子を含むレンジング応答メッセージを送信するステップと、
を有し、
前記レンジング要請メッセージ及び前記レンジング応答メッセージは、前記非制御ハンドオーバーに対して使用される、非制御ハンドオーバー方法。
【請求項９】
前記ターゲット基地局が前記移動局の所望するターゲット基地局であるとあらかじめ決定され、前記ターゲット基地局が前記サービング基地局により推奨される候補基地局でない場合、又は前記移動局が前記サービング基地局により推奨されるどの候補基地局にも到達できない場合、前記非制御ハンドオーバーが始動される、請求項８に記載の非制御ハンドオーバー方法。
【請求項１０】
前記ターゲット基地局において、前記ネットワーク再進入手順を行うためにレンジングコードを、前記移動局から受信するステップと、
前記レンジングコードに対する応答として、レンジング手順に割り当てられたリソース領域に関する割当情報を含むレンジングメッセージを、前記ターゲット基地局から前記移動局に送信するステップと、
をさらに有し、
前記レンジング要請メッセージは、前記割当情報が表す前記リソース領域で送信される、請求項９に記載の非制御ハンドオーバー方法。
【請求項１１】
保安情報は、ＣＭＡＣタプルを含む、請求項９に記載の非制御ハンドオーバー方法。
【請求項１２】
非制御ハンドオーバーを行う移動局（ＭＳ）であって、
送信モジュールと、
受信モジュールと、
メモリーと、
前記送信モジュール、前記受信モジュール及び前記メモリーに動作可能に接続されたプロセッサと、
を有し、
前記プロセッサは、
サービング基地局のリソース維持タイマーが満了したか否かを決定し、
前記リソース維持タイマーが満了していない場合、ネットワーク再進入手順の間、前記サービング基地局の基地局識別子及び前記移動局を識別するために前記サービング基地局で使用されるステーション識別子を含むレンジング要請メッセージを、前記ターゲット基地局に送信し、
前記レンジング要請メッセージに応じて、新たなステーション識別子が割り当てられない時に前記移動局を識別するために使用される臨時ステーション識別子、又は前記ターゲット基地局が前記移動局を識別するための新たなステーション識別子を含むレンジング応答メッセージを前記ターゲット基地局から受信するように構成され、
前記リソース維持タイマーは、前記サービング基地局が前記移動局のコンテクストを維持する時間を示し、
前記レンジング要請メッセージ及び前記レンジング応答メッセージは、前記非制御ハンドオーバーに対して使用される、移動局。
【請求項１３】
前記ターゲット基地局が前記移動局の所望するターゲット基地局であるとあらかじめ決定され、前記ターゲット基地局が前記サービング基地局により推奨される候補基地局でない場合、又は前記移動局が前記サービング基地局により推奨されるどの候補基地局にも到達できない場合、前記非制御ハンドオーバーが始動される、請求項１２に記載の移動局。
【請求項１４】
前記プロセッサは、前記サービング基地局から、ハンドオーバー関連情報及び前記候補基地局に関する情報を含むハンドオーバー命令メッセージを受信するように構成された、請求項１３に記載の移動局。
【請求項１５】
前記ハンドオーバー関連情報は、前記ネットワーク再進入手順の開始を示す動作時間パラメータ、前記候補基地局で使用されるハンドオーバーレンジングコード、及び前記候補基地局で使用されるレンジング機会の少なくとも一つを含む、請求項１４に記載の移動局。
【請求項１６】
前記プロセッサは、前記非制御ハンドオーバーの開始を指示するイベントコード、及び前記ターゲット基地局が前記移動局の前記所望するターゲット基地局であることを識別する識別子を含むハンドオーバー指示メッセージを、前記送信モジュールを用いて前記サービング基地局に送信するように更に構成された、請求項１３に記載の移動局。
【請求項１７】
前記プロセッサは、前記ネットワーク再進入手順を行うためにレンジングコードを、前記ターゲット基地局に送信し、前記レンジングコードに対する応答として、レンジング手順に割当てられたリソース領域に関する割当情報を含むレンジングメッセージを受信するようさらに構成され、
前記レンジング要請メッセージは、前記割当情報が表す前記リソース領域で送信される、請求項１３に記載の移動局。
【請求項１８】
保安情報は、ＣＭＡＣタプルを含む、請求項１３に記載の移動局。
【発明の詳細な説明】
【技術分野】
【０００１】
本発明は、様々な無線接続システムに適用可能な効率的で且つ信頼できるハンドオーバーを行う方法及び装置に関するものである。
【背景技術】
【０００２】
以下、ハンドオーバー及びレンジング手順について簡略に説明する。
【０００３】
ハンドオーバー（ＨＯ：ＨａｎｄＯｖｅｒ）とは、移動中の端末が、基地局のセル（ｃｅｌｌ）のような通信領域（ｚｏｎｅ）を移動する時、通話しているサービング基地局のセル領域から外れて他の基地局のセル領域に進入する場合、通話を続行させる機能（チャネルや回線の交換を行い、通話している呼を維持できるようにする機能など）のことをいう。
【０００４】
ハンドオーバーは、ソフターハンドオーバー（Ｓｏｆｔｅｒ  Ｈａｎｄｏｖｅｒ）、ソフトハンドオーバー（Ｓｏｆｔ  Ｈａｎｄｏｖｅｒ）及びハードハンドオーバー（Ｈａｒｄ  Ｈａｎｄｏｖｅｒ）に分類できる。
【０００５】
ここで、ソフターハンドオーバーは、一つのセル内部で行われるハンドオーバーで、端末がセルカバレッジ（ｃｅｌｌ  ｃｏｖｅｒａｇｅ）内で、使用しているチャネルを良好なチャネルなどに切り替えることをいう。ソフトハンドオーバーは、隣接する２個のチャネルを同時に使用し、最後には１個のチャネルを徐々に切る方式のことをいう。ソフトハンドオーバーの場合、ＣＤＭＡ方式では同じ周波数帯域を使用するから具現しやすい。ハードハンドオーバーは、現在通話しているチャネルを切り、直ちに他のチャネルに接続する方式のことをいう。
【０００６】
端末は、現在サービスしている基地局のセル領域から他の基地局のセル領域に移動し、他の基地局にハンドオーバーを行うためのレンジング（Ｒａｎｇｉｎｇ）手順を行うことができる。
【０００７】
レンジングとは、ＩＥＥＥ  ８０２．１６または携帯インターネットなどにおいて、基地局と端末間のＲＦ（Ｒａｄｉｏ  Ｆｒｅｑｕｅｎｃｙ）通信の接続品質（特に、同期化）を維持するためのプロセスの集合体をいう。レンジングは、ＯＦＤＭＡ（Ｏｒｔｈｏｇｏｎａｌ  Ｆｒｅｑｕｅｎｃｙ  Ｄｉｖｉｓｉｏｎａｌ  Ｍｕｌｔｉｐｌｅ  Ａｃｃｅｓｓ）／ＴＤＤ（Ｔｉｍｅ  Ｄｉｖｉｓｉｏｎａｌ  Ｄｕｐｌｅｘｉｎｇ）方式に基づく多重接続の時、ダウンリンクでは基地局が多数の端末に一つの基準タイミングで送信するので問題がない。
【０００８】
しかしながら、アップリンクでは、多数の端末がそれぞれ信号を送信するので、伝搬遅延が端末ごとに異なってくることがあり、そのために、別途のタイミング同期化方法で基地局と端末はレンジングを行う。すなわち、レンジングは、多数の端末機が送信時間に対する同期を正確に調整するための手順である。
【０００９】
端末と基地局間のアップリンクの同期獲得及び電力制御のための、初期レンジング（Ｉｎｉｔｉａｌ  Ｒａｎｇｉｎｇ）、周期的レンジング（Ｐｅｒｉｏｄｉｃ  Ｒａｎｇｉｎｇ）及びハンドオーバーレンジング（Ｈａｎｄ−ｏｖｅｒ  Ｒａｎｇｉｎｇ）がある。なお、端末が基地局に帯域幅を要求するための帯域幅要求レンジング（Ｂａｎｄｗｉｄｔｈ  Ｒｅｑｕｅｓｔ（ＢＲ）  Ｒａｎｇｉｎｇ）がある。
【００１０】
初期レンジングは、端末が基地局に最初に進入する時（例えば、端末に電源が入ったり、長い休止モードから遊休モードに切り替える時）、初期ネットワーク進入及び接続手順に用いられる。周期的レンジングは、端末が基地局に対して同期追跡のために周期的に転送する。ハンドオーバーレンジングは、端末がハンドオーバーを行う間に、ターゲット基地局との同期化のために端末により行われる。帯域幅要求レンジングは、基地局にアップリンク割当を要求するために用いられる。帯域幅要求レンジングは、システムと同期が確立された後、端末により行われる。
【００１１】
基地局が端末からレンジング要請メッセージを受信すると、基地局は、該当の端末の接続識別子（ＣＩＤ：Ｃｏｎｎｅｃｔｉｏｎ  ＩＤｅｎｔｉｆｉｅｒ）を生成する。その後、基地局は、端末と再交渉、再認証及び再登録過程などを行う。
【００１２】
接続識別子（ＣＩＤ）は、媒体アクセス制御（ＭＡＣ：Ｍｅｄｉｕｍ  Ａｃｃｅｓｓ  Ｃｏｎｔｒｏｌ）副層上のピア（Ｐｅｅｒ）同士間で必要なサービスフロー（Ｓｅｒｖｉｃｅ  Ｆｌｏｗ）にマッピングされた接続（ｃｏｎｎｅｃｔｉｏｎ）を識別するアドレスのことをいう。ＣＩＤは、ＭＡＣ  ＰＤＵ（ＭＡＣ  Ｐｒｏｔｏｃｏｌ  Ｄａｔａ  Ｕｎｉｔ）ヘッダーに含まれる。すなわち、基地局と端末との接続はいずれも、ＭＡＣヘッダーに含まれるＣＩＤにより識別され、ＣＩＤは、それと関連したサービスフローＱｏＳパラメータを定義しているＳＦＩＤ（Ｓｅｒｖｉｃｅ  Ｆｌｏｗ  ＩＤｅｎｔｉｆｉｅｒ）と対応付けられる。
【００１３】
管理用ＣＩＤは、全ての端末が基地局に接続する初期化時に基地局から受けることができる。すなわち、管理用ＣＩＤが、一連のレンジング及び登録過程を通じて基地局から端末に割り当てられればよい。管理用ＣＩＤは、基本ＣＩＤ（Ｂａｓｉｃ  ＣＩＤ、ＢＣＩＤ）、主ＣＩＤ（Ｐｒｉｍａｒｙ  ＣＩＤ、ＰＣＩＤ ）及び副ＣＩＤ（Ｓｅｃｏｎｄａｒｙ  ＣＩＤ、ＳＣＩＤ）に分類できる。
【００１４】
ここで、基本ＣＩＤ（ＢＣＩＤ）は、初期接続段階において基地局が端末を識別するのに用いられる。すなわち、端末のＭＡＣアドレスが基本ＣＩＤにマッピングされる。主ＣＩＤ（ＰＣＩＤ）は、認証メッセージ及び動的リソース割当関連メッセージで用いられてよい。また、副ＣＩＤ（ＢＣＩＤ）は、選択的なもので、それが用いられるか否かは、端末の能力交渉過程で決定されればよい。
【００１５】
管理用ＣＩＤの他にも、ユーザートラフィックのサービスを区別するための転送ＣＩＤ（Ｔｒａｎｓｐｏｒｔ  ＣＩＤ、ＴＣＩＤ）、放送トラフィックを区別するための放送ＣＩＤ（Ｂｒｏａｄｃａｓｔｉｎｇ  ＣＩＤ）及びマルチキャストＣＩＤ（Ｍｕｌｔｉｃａｓｔｉｎｇ  ＣＩＤ）がある。ここで、転送ＣＩＤ（ＴＣＩＤ）は、端末と基地局との間に確立された接続ごとに割り当てられてよい。
【００１６】
ハンドオーバー技術は、移動端末がサービング基地局から他のターゲット基地局へ移動する際に、移動端末が、現在サービング基地局と交信しているデータコンテクスト（ｄａｔａ  ｃｏｎｔｅｘｔ）を、最小限の中断時間（ｉｎｔｅｒｒｕｐｔｉｏｎ  ｔｉｍｅ）をもってターゲット基地局に移し、交信を持続することをいう。すなわち、移動端末のサービス連続性を保障するための技術である。
【００１７】
ただし、移動端末が一般のハンドオーバー手順ではなく非制御ハンドオーバー（Ｕｎｃｏｎｔｒｏｌｌｅｄ  Ｈａｎｄｏｖｅｒ）を行う場合、それに対する明確な手順が開発されていない。また、非制御ハンドオーバー時に、移動端末がレンジング手順を行うには、移動端末を識別する媒体アクセス制御アドレスをターゲット基地局に転送しなければならない。こうする場合、移動端末の位置秘密性の保障が難しくなることがある。
【００１８】
すなわち、非制御ハンドオーバー時に、移動端末に対する悪意的な保安脅威を遮断するために、移動端末の位置秘密性（ｌｏｃａｔｉｏｎ  ｐｒｉｖａｃｙ）を保障するための手順が考慮される必要がある。
【００１９】
移動端末の位置秘密性を提供するために、移動端末のハッシュ（ｈａｓｈ）されたＭＡＣアドレス及び臨時ステーション識別子の使用を考慮することができる。ただし、この場合、レンジング過程において移動端末のハッシュされたＭＡＣアドレス及び／または臨時ステーション識別子の割当が要され、レンジング手順が余分に長くなることがある。
【発明の概要】
【発明が解決しようとする課題】
【００２０】
本発明は上記問題点を解決するために案出されたもので、その目的は、効率的で且つ信頼できるハンドオーバーを行う方法及び装置を提供することにある。
【００２１】
本発明の他の目的は、移動端末が非制御ハンドオーバーを行う場合、移動端末の位置秘密性を支援する方法を提供することにある。
【００２２】
本発明のさらに他の目的は、サービング基地局から他の基地局に非制御ハンドオーバーを行う場合、ハンドオーバーターゲット基地局内で用いられる移動端末の識別子（ＳＴＩＤ：Ｓｔａｔｉｏｎ  Ｉｄｅｎｔｉｆｉｅｒ）を効率的に受け取る方法を提供することにある。
【００２３】
本発明で達成しようとする技術的課題は、上記の技術的課題に制限されず、言及していない他の技術的課題は、以下説明される本発明の実施例から、本発明の属する技術の分野における通常の知識を有する者には明確に導出され理解されるであろう。
【課題を解決するための手段】
【００２４】
上記の技術的課題を解決するために、本発明は、様々な無線接続システムに適用可能な効率的で且つ信頼できるハンドオーバーを行う様々なシステム、方法及び装置を提供する。
【００２５】
本発明の実施例において、非制御ハンドオーバーは、サービング基地局により推奨された候補基地局に移動端末の所望する第１ターゲット基地局が含まれない場合に、または候補基地局とハンドオーバーレンジング手順に失敗した場合、すなわち、移動端末が候補基地局に到達できない場合に、行うことができる。
【００２６】
本発明の第１実施例として、非制御ハンドオーバー（Ｕｎｃｏｎｔｒｏｌｌｅｄ  ＨＯ）を行う方法は、移動端末が、第１ターゲット基地局でネットワーク進入または再進入を行うために、サービング基地局の識別子（ＢＳＩＤ＝３）及びサービング基地局で使用した第１識別子（ＳＴＩＤ）を含むレンジング要請（ＡＡＩ＿ＲＮＧ−ＲＥＱ）メッセージを、第１ターゲット基地局に転送する段階と、第１ターゲット基地局から有効な保安関連情報及び移動端末を識別するための第２識別子を含むレンジング応答メッセージを受信する段階と、を含むことができる。
【００２７】
上記第１実施例は、移動端末がサービング基地局から、ハンドオーバー関連情報及び候補基地局に関する情報を含むハンドオーバー命令（ＡＡＩ＿ＨＯ−ＣＭＤ）メッセージを受信する段階をさらに含むことができる。ここで、ハンドオーバー関連情報は、ネットワーク（再）進入手順を行う開始時点を表す動作時間（Ａｃｔｉｏｎ  Ｔｉｍｅ）パラメータ、候補基地局で使われる専用ハンドオーバーレンジングコード及びレンジング機会のうち一つ以上を含むことができる。
【００２８】
上記第１実施例は、移動端末が非制御ハンドオーバー行う場合に、移動端末が、非制御ハンドオーバーを表すイベントコード（Ｃｏｄｅ  ２）及び移動端末の所望する第１ターゲット基地局の識別子（ＢＳＩＤ＝５）を含むハンドオーバー指示（ＡＡＩ＿ＨＯ−ＩＮＤ）メッセージを、サービング基地局に転送する段階をさらに含むことができる。
【００２９】
この時、第１識別子は、サービング基地局で移動端末を固有に識別するステーション識別子（ＳＴＩＤ）であり、第２識別子は、第１ターゲット基地局で移動端末を固有に識別するステーション識別子、または移動端末の位置秘密性を保護するために使われる臨時ステーション識別子（Ｔ-ＳＴＩＤ）のいずれかでよい。
【００３０】
上記第１実施例は、移動端末が第１ターゲット基地局にネットワーク（再）進入手順を行うためのレンジングコードを転送する段階と、レンジングコードに対する応答として、レンジング手順を行うためのリソース領域に関する割当情報を含むレンジング応答メッセージを受信する段階と、をさらに含むことができる。ここで、レンジング要請メッセージは、割当情報が表すリソース領域を通じて転送されればよい。
【００３１】
有効な保安関連情報は、ＣＭＡＣ（Ｃｉｐｈｅｒ−ｂａｓｅｄ  ｍｅｓｓａｇｅ  ａｕｔｈｅｎｔｉｃａｔｉｏｎ  ｃｏｄｅ）タプルを含むことができる。
本発明の第２実施例として、非制御ハンドオーバー（Ｕｎｃｏｎｔｒｏｌｌｅｄ  ＨＯ）を行うシステム、機器及び方法は、移動端末とのネットワーク（再）進入手順において、サービング基地局の識別子及びサービング基地局で用いられた第１識別子を含むレンジング要請メッセージを移動端末から受信する段階と、ターゲット基地局で有効な保安関連情報及び移動端末を識別するための第２識別子を含むレンジング応答メッセージを移動端末に転送する段階と、を含むことができる。
【００３２】
ここで、第１識別子は、サービング基地局で移動端末を固有に識別するステーション識別子（ＳＴＩＤ）であり、第２識別子は、第１ターゲット基地局で移動端末を固有に識別するステーション識別子、または移動端末の位置秘密性を保護するために使われる臨時ステーション識別子（Ｔ-ＳＴＩＤ）のいずれかでよい。
【００３３】
有効な保安関連情報は、ＣＭＡＣタプルを含むことができる。
【００３４】
上記第２実施例は、第１ターゲット基地局が移動端末からネットワーク（再）進入手順を行うためのレンジングコードを受信する段階と、レンジングコードに対する応答として、レンジング手順を行うためのリソース領域に関する割当情報を含むレンジング応答メッセージを、移動端末に転送する段階と、をさらに含むことができる。ここで、レンジング要請メッセージは、割当情報が表すリソース領域を通じて受信されればよい。
【００３５】
上記第２実施例は、第１ターゲット基地局がサービング基地局の識別子（ＢＳＩＤ＝３）が表すサービング基地局に、移動端末に関する情報を要請する要請メッセージを転送する段階と、サービング基地局から移動端末に関する情報を含む応答メッセージを受信する段階と、をさらに含むことができる。この時、移動端末に関する情報には、移動端末の媒体アクセス制御アドレスが含まれてよい。
【００３６】
本発明の第３実施例として、非制御ハンドオーバー（Ｕｎｃｏｎｔｒｏｌｌｅｄ  ＨＯ）を行う移動端末は、非制御ハンドオーバーに用いられるメッセージの送信を制御する送信モジュールと、非制御ハンドオーバーに用いられるメッセージの受信を制御する受信モジュールと、非制御ハンドオーバーに用いられるパラメータ及び情報要素を保存するメモリーと、非制御ハンドオーバー動作を制御するプロセッサと、を含むことができる。
【００３７】
ここで、プロセッサは、移動端末が第１ターゲット基地局でネットワーク（再）進入を行うためにサービング基地局の識別子及びサービング基地局で使用した第１識別子を含むレンジング要請メッセージを送信モジュールを介して転送するように制御し、第１ターゲット基地局から有効な保安関連情報及び移動端末を識別するための第２識別子を含むレンジング応答メッセージを受信モジュールを介して受信して非制御ハンドオーバー動作を制御することができる。
【００３８】
前記受信モジュールは、サービング基地局からハンドオーバー関連情報及び候補基地局に関する情報を含むハンドオーバー命令（ＡＡＩ＿ＨＯ−ＣＭＤ）メッセージを受信してプロセッサに伝達することができる。プロセッサは、ハンドオーバー命令メッセージに含まれたハンドオーバー関連情報をメモリーに保存し、それによる非制御ハンドオーバー手順を行うことができる。
【００３９】
ここで、ハンドオーバー関連情報は、ネットワーク（再）進入手順を行う開始時点を表す動作時間パラメータ、候補基地局で用いられるハンドオーバーレンジングコード及びレンジング機会のうち一つ以上を含むことができる。
【００４０】
第３実施例の移動端末が非制御ハンドオーバーを行う場合に、移動端末のプロセッサは、非制御ハンドオーバーを表すイベントコード（Ｃｏｄｅ  ２）及び移動端末の所望する第１ターゲット基地局の識別子を含むハンドオーバー指示メッセージを、送信モジュールを介してサービング基地局に転送することができる。
【００４１】
ここで、第１識別子は、サービング基地局で移動端末を固有に識別するステーション識別子（ＳＴＩＤ）であり、第２識別子は、第１ターゲット基地局で移動端末を固有に識別するステーション識別子、または移動端末の位置秘密性を保護するために用いられる臨時ステーション識別子のいずれかでよい。
【００４２】
有効な保安関連情報は、ＣＭＡＣタプルを含むことができる。
【００４３】
前記移動端末のプロセッサは、第１ターゲット基地局にネットワーク（再）進入手順を行うためのレンジングコードを送信モジュールを介して転送し、受信モジュールを介して、レンジングコードに対する応答として、レンジング手順を行うためのリソース領域に関する割当情報を含むレンジング応答メッセージを受信して、非制御ハンドオーバーを制御することができる。この時、プロセッサは、レンジング要請メッセージを、割当情報が表すリソース領域を通じて転送するように送信モジュールを制御することができる。
【発明の効果】
【００４４】
本発明の実施例によれば、下記の効果が得られる。
【００４５】
第一、ユーザーは、本発明の実施例を用いることによって効率的で且つ信頼できるハンドオーバーを行うことができる。
【００４６】
第二、移動端末が非制御ハンドオーバーを行う場合、移動端末の位置秘密性（ｌｏｃａｔｉｏｎ  ｐｒｉｖａｃｙ）を支援することができる。
【００４７】
第三、移動端末が非制御ハンドオーバーを行う場合、ハンドオーバーターゲット基地局で用いられる移動端末の識別子（ＳＴＩＤ）が効率的に割り当てられることが可能になる。
【００４８】
本発明の実施例から得られる効果は、以上に言及した効果に限定されず、言及していない別の効果は、以下の本発明の実施例についての記載から、本発明の属する技術の分野における通常の知識を有する者には明確に導出され理解されるであろう。
【図面の簡単な説明】
【００４９】
【図１】ＩＥＥＥ  ８０２．１６ｅシステムで行われる全般的なハンドオーバー手順を示すフローチャートである。
【図２】ＩＥＥＥ  ８０２．１６ｍシステムで行われるハンドオーバーの全般的な手順を示す図である。
【図３】移動端末が、自身が所望する近隣基地局に非制御ハンドオーバーを行う場合を示す図である。
【図４】移動端末がハンドオーバーターゲット基地局へのハンドオーバーに失敗した場合、近隣基地局に非制御ハンドオーバーを行う方法を示す図である。
【図５】本発明の一実施例であって、ハンドオーバーターゲット基地局へのハンドオーバーに失敗した場合、近隣基地局に非制御ハンドオーバーを行う方法を示す図である。
【図６】本発明の他の実施例であって、ハンドオーバーターゲット基地局へのハンドオーバーに失敗した場合、近隣基地局に非制御ハンドオーバーを行う方法の一例を示す図である。
【図７】本発明の他の実施例であって、ハンドオーバーターゲット基地局へのハンドオーバーに失敗した場合、近隣基地局に非制御ハンドオーバーを行う方法の他の例を示す図である。
【図８】本発明の他の実施例であって、ハンドオーバーターゲット基地局へのハンドオーバーに失敗した場合、近隣基地局に非制御ハンドオーバーを行う方法のさらに他の例を示す図である。
【図９】本発明のさらに他の実施例であって、図２乃至図８で説明した本発明の各実施例を実行できる移動端末及び基地局を示す図である。
【発明を実施するための形態】
【００５０】
本発明の実施例は、様々な無線接続システムに適用可能な効率的で且つ信頼できるハンドオーバーを行う様々な方法及び装置を開示する。
【００５１】
下記の実施例は、本発明の構成要素及び特徴を所定の形態に結合したものである。各構成要素または特徴は、別の明示的な言及がない限り、選択的なものとして考慮すればよい。各構成要素または特徴は、他の構成要素や特徴と結合しない形態で実施することもできる。また、一部の構成要素及び／または特徴を結合して本発明の実施例を構成することもできる。本発明の実施例で説明される動作の順序は変更可能である。ある実施例の一部構成や特徴は、他の実施例に含まれてもよく、他の実施例の対応する構成または特徴に取って代わってもよい。
【００５２】
図面についての説明において、本発明の要旨を曖昧にする手順または段階などは記述しない他、当業者のレベルで理解できるような手順または段階についても説明を省略するものとする。
【００５３】
本明細書において、本発明の実施例は、基地局と移動局間のデータ送受信関係を中心に説明された。ここで、基地局は、移動局と直接的に通信を行うネットワークの終端ノード（ｔｅｒｍｉｎａｌ  ｎｏｄｅ）の意味を有する。本文書で、基地局により行われるとした特定動作は、場合によっては、基地局の上位ノード（ｕｐｐｅｒ  ｎｏｄｅ）により行われてもよい。
【００５４】
すなわち、基地局を含む多数のネットワークノード（ｎｅｔｗｏｒｋ  ｎｏｄｅｓ）からなるネットワークにおいて移動局との通信のために行われる種々の動作は、基地局または基地局以外の別のネットワークノードで行うことができる。ここで、「基地局」は、固定局（ｆｉｘｅｄ  ｓｔａｔｉｏｎ）、Ｎｏｄｅ  Ｂ、ｅＮｏｄｅ  Ｂ（ｅＮＢ）、発展した基地局（Ａｄｖａｎｃｅｄ  Ｂａｓｅ  Ｓｔａｔｉｏｎ）、またはアクセスポイント（Ａｃｃｅｓｓ  Ｐｏｉｎｔ）などの用語に代替可能である。
【００５５】
また、「移動局（ＭＳ：Ｍｏｂｉｌｅ  Ｓｔａｔｉｏｎ）」は、ＵＥ（Ｕｓｅｒ  Ｅｑｕｉｐｍｅｎｔ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、発展した移動端末（ＡＭＳ：Ａｄｖａｎｃｅｄ  Ｍｏｂｉｌｅ  Ｓｔａｔｉｏｎ）または端末（Ｔｅｒｍｉｎａｌ）などの用語に代替可能である。
【００５６】
また、送信端は、データサービスまたは音声サービスを提供する固定及び／または移動ノードを意味し、受信端は、データサービスまたは音声サービスを受信する固定及び／または移動ノードを意味する。したがって、アップリンクでは、移動局が送信端となり、基地局が受信端となればよい。同様に、ダウンリンクでは、移動局が受信端となり、基地局が送信端となればよい。
【００５７】
本発明の実施例は、無線接続システムであるＩＥＥＥ  ８０２システム、３ＧＰＰシステム、３ＧＰＰ  ＬＴＥシステム及び３ＧＰＰ２システムの少なくとも一つに開示された標準文書によりサポートされてよい。すなわち、本発明の実施例において、技術的思想を明確にするために説明を省略した段階または部分は、上記の文書によりサポートされてよい。
【００５８】
また、本文書で開示している用語はいずれも上記の標準文書により説明できる。特に、本発明の実施例は、ＩＥＥＥ  ８０２．１６システムの標準文書であるＰ８０２．１６ｅ−２００４、Ｐ８０２．１６ｅ−２００５及びＰ８０２．１６Ｒｅｖ２及びＰ８０２．１６ｍ標準文書の一つ以上によりサポートされればよい。
【００５９】
以下、本発明の好適な実施形態を、添付の図面を参照しつつ詳細に説明する。添付の図面と共に以下に開示される詳細な説明は、本発明の例示的な実施形態を説明するためのもので、本発明が実施されうる唯一の実施形態を示すものではない。
【００６０】
また、本発明の実施例で使われる特定用語は、本発明の理解を助けるために提供されたもので、このような特定用語の使用は、本発明の技術的思想を逸脱しない範囲で他の形態に変更可能である。
【００６１】
例えば、本発明の実施例において、非制御ハンドオーバー（Ｕｎｃｏｎｔｒｏｌｌｅｄ  ＨＯ）は、非協力的ハンドオーバー（Ｕｎｃｏｏｒｄｉｎａｔｅｄ  Ｈａｎｄｏｖｅｒ）または非調整ハンドオーバーとも呼ばれる。
【００６２】
図１は、ＩＥＥＥ  ８０２．１６ｅシステムで行われる全般的なハンドオーバー手順を示す図である。
【００６３】
図１を参照すると、移動端末がハンドオーバー及び初期ネットワーク進入時にセルを選択する（Ｓ１０１、Ｓ１０２）。セル選択は、移動端末がネットワーク接続やハンドオーバーのための適当な基地局を探すために、一つ以上の基地局とスキャニング（Ｓｃａｎｎｉｎｇ）やレンジング（Ｒａｎｇｉｎｇ）を行う手順である。移動端末は、基地局への初期ネットワーク進入またはターゲット基地局へのハンドオーバー可能性を判断するためにスキャン区間やスリープ区間をスケジューリングしなければならない。
【００６４】
移動端末は、初期ネットワーク進入時に、サービス基地局との同期及びダウンリンクパラメータを獲得する（Ｓ１０３）。サービス（Ｓｅｒｖｉｃｅ）基地局は、現在、移動端末が進入しようとするネットワークにおいてサービスを提供する基地局を指すもので、サービング基地局とも呼ばれる。サービス基地局との同期を獲得した移動端末は、サービス基地局へのアップリンクパラメータを獲得し（Ｓ１０４）、サービス基地局とレンジング手順を行いながらアップリンクパラメータを調整する（Ｓ１０５）。以上の手順により移動端末とサービス基地局とは通信のための基本機能を形成する（Ｓ１０６）。サービス基地局は、移動端末を認可し、暗号化のためのキー（ｋｅｙ）を交換する（Ｓ１０７）。これで移動端末はサービス基地局に登録され（Ｓ１０８）、ＩＰ接続が設定される（Ｓ１０９）。
【００６５】
サービス基地局は、移動端末に動作パラメータを転送することで、移動端末が通信手順を行うようにし（Ｓ１１０）、移動端末とサービス基地局との接続が確立され（Ｓ１１１）、移動端末と基地局は正常な動作を行うことが可能になる（Ｓ１１２）。移動端末は、サービス基地局で正常の動作を行う間にも隣接基地局を探索し続ける（Ｓ１１３）。
【００６６】
このＳ１１３を行う理由は、移動端末が移動中にサービス基地局から遠ざかるにつれ、サービス基地局から提供されるサービスの品質も弱くなり、よって、よりよいサービスを提供できる基地局を探索するためである。したがって、サービス基地局に比べてよりよいサービスを提供する隣接基地局をターゲット（Ｔａｒｇｅｔ）基地局といい、移動端末はターゲット基地局を探索してハンドオーバーを行うことができる。
【００６７】
一般に、ハンドオーバーは、移動端末がサービス基地局からターゲット基地局のセル領域に移動する場合に発生する。ハンドオーバーは、移動端末が無線インターフェース、サービスフロー及びネットワークアクセスポイントなどをサービス基地局からターゲット基地局に切り替えることであり、移動端末、サービス基地局またはネットワーク管理者がハンドオーバーを決定することから始まる（Ｓ１１４）。
【００６８】
移動端末はターゲット基地局を選択し（Ｓ１１５）、ターゲット基地局と同期獲得及びダウンリンクパラメータ獲得をする（Ｓ１１６）。移動端末はターゲット基地局のアップリンクパラメータを獲得し（Ｓ１１７）、ターゲット基地局とレンジング及びアップリンクパラメータを調整する（Ｓ１１８）。この時、移動端末がターゲット基地局の識別子、周波数、上り／下りチャネルディスクリプタ（ＵＣＤ／ＤＣＤ）を含んでいるＮＢＲ−ＡＤＶメッセージをあらかじめ受信したとすれば、スキャン過程と同期化手順が簡素化できる。ターゲット基地局がバックボーンネットワークを通じてサービス基地局からハンドオーバー通報を受信したとすれば、非競合方式の初期レンジング機会をアップリンクマップ（ＵＬ−ＭＡＰ）メッセージで提供することができる。
【００６９】
以上の手順により、移動端末及びターゲット基地局は基本機能を形成し（Ｓ１１９）、移動端末とターゲット基地局はレンジングを行い、ネットワーク再進入手順を開始する。また、移動端末は、ターゲット基地局への再登録及び再接続を行う（Ｓ１２０）。これで、移動端末はターゲット基地局に登録され（Ｓ１２１）、ターゲット基地局のＩＰ接続も移動端末に再設定される（Ｓ１２２）。これで、ターゲット基地局はサービス基地局になり、端末にサービスを提供することができる。
【００７０】
図１においてハンドオーバーをする場合について再び説明すると、移動端末は、スキャニングから得られた隣接基地局に関する情報に基づいてセルを選択し、サービス基地局からターゲット基地局へハンドオーバーをすると決定することができる。ハンドオーバーを決定すると、移動端末は、ターゲット基地局と同期化を行い、レンジング手順を行う。その後、移動端末に対する再認可（ｒｅａｕｔｈｏｒｉｚａｔｉｏｎ）が行われ、この時、ターゲット基地局はバックボーンメッセージを通じてサービス基地局に移動端末に関する情報を要請することができる。
【００７１】
ターゲット基地局が保有する移動端末に関する情報によってハンドオーバー及びネットワーク再進入（Ｎｅｔｗｏｒｋ  Ｒｅｅｎｔｒｙ）手順が多く減少することがある。また、ターゲット基地局が保有する端末に関する情報の量によっていくつかのネットワーク進入（Ｎｅｔｗｏｒｋ  Ｅｎｔｒｙ）手順が省略されることもある。
【００７２】
図１では、移動端末によりハンドオーバーが開始される場合について主に説明したが、サービング基地局で移動端末との通信環境を考慮して移動端末のハンドオーバーを決定してもよい。サービング基地局でハンドオーバーを決定する場合にも、図１と略同様の手順を行えばよい。
【００７３】
ＩＥＥＥ  ８０２．１６ｍハンドオーバーの全般
【００７４】
図２は、ＩＥＥＥ  ８０２．１６ｍシステムで行われるハンドオーバーの全般的な過程を示す図である。
【００７５】
ＩＥＥＥ  ８０２．１６ｍシステムにおいて、ハンドオーバーは、主に、（１）ハンドオーバーの決定及び開始（ＨＯ  ｄｅｃｉｓｉｏｎ  ａｎｄ  ｉｎｉｔｉａｔｉｏｎ）、（２）ハンドオーバー準備（ＨＯ  ｐｒｅｐａｒａｔｉｏｎ）、及び（３）ハンドオーバー実行（ＨＯ  ｅｘｅｃｕｔｉｏｎ）の３つの手順を含むことができる。
【００７６】
これら３つの手順を行う前に、移動端末（ＡＭＳ：Ａｄｖａｎｃｅｄ  Ｍｏｂｉｌｅ  Ｓｔａｔｉｏｎ）は、周辺基地局に関する情報を収集するスキャニング手順を行う必要がある。このようなスキャニング手順は、ＩＥＥＥ  ８０２．１６ｅネットワークにおけるスキャニング過程に似ている。例えば、ＩＥＥＥ  ８０２．１６ｍシステムでは、移動端末がサービング基地局（Ｓ−ＡＢＳ：Ｓｅｒｖｉｎｇ  Ａｄｖａｎｃｅｄ  Ｂａｓｅ  Ｓｔａｔｉｏｎ）と交信しない区間がある場合、この区間を用いて周辺基地局をスキャニングすればいい。
【００７７】
ハンドオーバー決定及び開始手順では、移動端末または基地局がＨＯを開始することができる。ＩＥＥＥ  ８０２．１６ｍシステムにおいて、移動端末がＨＯを開始するための条件は、下記のように定義されている。
【００７８】
１．移動端末がサービング基地局にスキャニング測定報告時期を定義する条件
２．移動端末がＡＡＩ＿ＨＯ−ＲＥＱメッセージを転送することによってハンドオーバーを開始する条件
３．移動端末がサービング基地局と通信を維持できない条件
【００７９】
この時、サービング基地局の決定によって移動端末がターゲット基地局にハンドオーバーする際、中断前進入（ＥＢＢ：Ｅｎｔｒｙ  Ｂｅｆｏｒｅ  Ｂｒｅａｋ）または進入前中断（ＢＢＥ：Ｂｒｅａｋ  Ｂｅｆｏｒｅ  Ｅｎｔｒｙ）のいずれかを行うかが決定される。
【００８０】
図２で、（Ａ）部分は、サービング基地局がハンドオーバーを開始する場合を、（Ｂ）部分は、移動端末がハンドオーバーを開始する場合を示す。
【００８１】
図２の（Ａ）部分を参照すると、サービング基地局（Ｓ−ＡＢＳ）は、協力的ハンドオーバーを行うために、一つ以上のターゲット基地局と今後のハンドオーバー実行（ＨＯ  ｅｘｅｃｕｔｉｏｎ）手順に対する条件、及び移動端末に割り当てるリソースを交渉することができる。
【００８２】
サービング基地局は、移動端末に関する情報（ＡＭＳ  ｉｎｆｏｒｍａｔｉｏｎ）をハンドオーバー要請（ＨＯ−ＲＥＱ）メッセージを通じて一つ以上のターゲット基地局に伝達することができる（Ｓ２１０）。
【００８３】
一つ以上の各ターゲット基地局は、ターゲット基地局において移動端末が使用できる専用レンジングコード（ｄｅｄｉｃａｔｅｄ  ｒａｎｇｉｎｇ  ｃｏｄｅ）及びレンジング機会（ｒａｎｇｉｎｇ  ｏｐｐｏｒｔｕｎｉｔｙ）のうち一つ以上を含むハンドオーバー関連情報を、サービング基地局にハンドオーバー応答（ＨＯ−ＲＳＰ）メッセージを通じて伝達することができる。この時、ハンドオーバー応答メッセージには、ターゲット基地局で用いられる端末識別子（ＳＴＩＤ：Ｓｔａｔｉｏｎ  ＩＤ）及び保安コンテクスト（ｓｅｃｕｒｉｔｙ  ｃｏｎｔｅｘｔ、例えば、ｎｏｎｃｅ）のうち一つ以上がさらに含まれてもよい（Ｓ２１２）。
【００８４】
サービング基地局は、ハンドオーバーターゲット基地局と決定した一つ以上のハンドオーバー候補基地局（すなわち、ターゲット基地局）に関するハンドオーバー関連情報を、ハンドオーバー命令（ＡＡＩ＿ＨＯ−ＣＭＤ）メッセージを用いて移動端末に転送することができる（Ｓ２１４）。
【００８５】
Ｓ２１４段階で、ハンドオーバー命令メッセージには、動作時間（Ａｃｔｉｏｎ  Ｔｉｍｅ）パラメータ及び接続解除時間（Ｄｉｓｃｏｎｎｅｃｔ  Ｔｉｍｅ）パラメータがさらに含まれてもよい。ここで、動作時間パラメータは、移動端末がネットワーク再進入（Ｎｅｔｗｏｒｋ  Ｒｅ−Ｅｎｔｒｙ）手順を行う時間を表し、接続解除時間パラメータは、サービング基地局が移動端末へのアップリンク及びダウンリンク（ＤＬ／ＵＬ）リソースの割当を止める時間を表す。
【００８６】
図２の（Ｂ）部分を参照すると、移動端末は、ハンドオーバー条件を満たすと、ハンドオーバー要請（ＡＡＩ−ＨＯ−ＲＥＱ）メッセージを用いてサービング基地局にハンドオーバーを要請できる（Ｓ２２０）。
【００８７】
移動端末からハンドオーバー要請メッセージを受信したサービング基地局は、一つ以上のターゲット基地局に、移動端末に関する情報（ＡＭＳ  ｉｎｆｏｒｍａｔｉｏｎ）を含むハンドオーバー要請（ＨＯ−ＲＥＱ）メッセージを転送できる（Ｓ２２２）。
【００８８】
以降のＳ２２４段階及びＳ２２６段階は、Ｓ２１２段階及びＳ２１４段階と同一なので、重複説明は省略する。Ｓ２１０、Ｓ２１２、Ｓ２１４、Ｓ２２０、Ｓ２２２、Ｓ２２４及びＳ２２６段階は、ハンドオーバー準備手順に該当するといえる。このようなハンドオーバー準備手順を通じて、移動端末とターゲット基地局との間において、移動端末のステーション識別子をあらかじめ更新することができ、保安関連情報の送受信を通じて保安コンテクスト（例えば、ノンス（ｎｏｎｃｅ））をあらかじめ更新することができる。また、移動端末の使用する専用レンジングコードが割り当てられてよい。
【００８９】
上述したハンドオーバー準備（ＨＯ  ｐｒｅｐａｒａｔｉｏｎ）手順の後、移動端末は選択的にハンドオーバー指示（ＡＡＩ−ＨＯ−ＩＮＤ）メッセージをサービング基地局に転送できる（Ｓ２２８）。
【００９０】
ここで、ハンドオーバー指示メッセージには、下記表１のようなイベントコード（ｅｖｅｎｔ  ｃｏｄｅ）が含まれればよい。
【００９１】
【表１】
0005221814.tif 000002
【００９２】
表１を参照すると、移動端末がサービング基地局にハンドオーバー指示メッセージを転送する場合には、上記のようなイベントコードを設定して転送できる。イベントコードが「１」（＝ｃｏｄｅ  １）に設定されると、移動端末が多数の候補基地局から一つのターゲット基地局を選択したということを表す。イベントコードが「２」（＝ｃｏｄｅ  ２）に設定されると、移動端末がいずれの候補基地局にも到達できないということを表し、移動端末は以降、非制御ハンドオーバー手順を行うことができる。そうする場合、移動端末は、新しく決定したターゲット基地局をハンドオーバー指示メッセージに含めて転送することが好ましい。
【００９３】
表１で、イベントコードが「３」（＝ｃｏｄｅ  ３）に設定されると、移動端末は、サービング基地局が設定した接続解除時間の満了までサービング基地局との接続を維持できないということを表す。また、イベントコードが「４」（＝ｃｏｄｅ  ４）に設定されると、移動端末はハンドオーバーを取消すということを表す。
【００９４】
すなわち、移動端末がサービング基地局から複数個の候補基地局に関するハンドオーバー関連情報を含むハンドオーバー命令（ＡＡＩ＿ＨＯ−ＣＭＤ）メッセージを受信した場合、ＡＡＩ＿ＨＯ−ＩＮＤメッセージを通じて、移動端末が最終的にＨＯをするターゲット基地局の選択について知らせる。
【００９５】
もし、サービング基地局が移動端末に一つのターゲット基地局のみをＡＡＩ＿ＨＯ−ＣＭＤメッセージに含めて転送した場合、移動端末は、ターゲット基地局の選択についてＨＯ−ＩＮＤを通じて知らせる必要がない。また、移動端末がハンドオーバー実行中に、ハンドオーバー取消または問題が発生した場合に、それに関する情報をサービング基地局にＨＯ−ＩＮＤを通じて知らせることができる。すなわち、ＨＯ−ＩＮＤメッセージは選択的に転送されればよく、必ずしも転送される必要はない。
【００９６】
ハンドオーバー実行（ＨＯ  ｅｘｅｃｕｔｉｏｎ）手順は、動作時間パラメータが表す時間に行われる。すなわち、移動端末は、動作時間パラメータが表す時間に、Ｔ−ＡＢＳとネットワーク再進入（ｎｅｔｗｏｒｋ  ｒｅ−ｅｎｔｒｙ）手順を行うことができる（Ｓ２３０）。
【００９７】
Ｓ２３０段階で、移動端末は、動作時間にＣＤＭＡレンジングコードまたはＡＡＩ＿ＲＮＧ−ＲＥＱメッセージをターゲット基地局に転送することによって、ネットワーク再進入手順を行うことができる。
【００９８】
移動端末がＥＢＢを行う場合、移動端末は、ネットワーク再進入手順の間に、定められた動作可能区間（ＡＩ：Ａｖａｉｌａｂｌｅ  Ｉｎｔｅｒｖａｌ）でＳ−ＡＢＳと通信を行うことができる。この時、移動端末は、動作不可区間（ＵＡＩ：Ｕｎ−Ａｖａｉｌａｂｌｅ  Ｉｎｔｅｒｖａｌ）でＴ−ＡＢＳへのネットワーク再進入手順を行うことができる（Ｓ２４０）。
【００９９】
移動端末がＢＢＥを行う場合、ＡＩまたはＵＡＩは定められず、移動端末は既存のＩＥＥＥ  ８０２．１６ｅネットワークのハードハンドオーバーと同様の手順を行う。
【０１００】
ネットワーク再進入手順が完了すると、ターゲット基地局は、ハンドオーバー完了（ＨＯ−ＣＭＰＬＴ）メッセージをサービング基地局に転送し（Ｓ２５０）、移動端末とターゲット基地局との間にデータ経路が設定される（Ｓ２６０）。
【０１０１】
図２のハンドオーバー実行方式は、制御ハンドオーバーまたは協力的ハンドオーバーと呼ぶことができる。図２で説明したメッセージ及びパラメータは、以下に説明する本発明の各実施例にも同様に適用することができ、各条件に応じて変更または修正して使用してもよい。
【０１０２】
非制御ハンドオーバー（Ｕｎｃｏｎｔｒｏｌｌｅｄ  ＨＯ）
【０１０３】
移動端末（ＡＭＳ）が協力的なハンドオーバー手順を行う途中で、非制御または非協力的ハンドオーバーを行う場合が発生することがある。この場合、移動端末はターゲット基地局と初期ネットワーク進入時と同じレンジング過程を行わなければならない。
【０１０４】
移動端末が非制御ハンドオーバー、すなわち、非協力的ハンドオーバーを行う場合には、大きく２通りのタイプがある。第１タイプ（Ｔｙｐｅ  １）は、サービング基地局がハンドオーバー命令（ＡＡＩ−ＨＯ−ＣＭＤ）メッセージを通じて提供したハンドオーバー候補基地局に、移動端末がハンドオーバーしようとする所望のターゲット基地局が含まれていない場合（ｎｏｎ−ｃｏｏｒｄｉｎａｔｅｄ  ＡＢＳ）である。第２タイプ（Ｔｙｐｅ  ２）は、移動端末がターゲット基地局にネットワーク再進入を試みたが、ＣＤＭＡレンジングコードの転送失敗またはレンジングメッセージの送受信失敗などが発生した場合（ｕｎｒｅａｃｈａｂｌｅ）である。
【０１０５】
図３は、移動端末が所望の近隣基地局に第１タイプの非制御ハンドオーバーを行う場合を示す図である。
【０１０６】
図３で、移動端末（ＡＭＳ）に割り当てられたステーション識別子（ＳＴＩＤ）は「２」であり、サービング基地局の識別子（ＢＳＩＤ）は「３」であり、候補基地局のうち、第１ターゲット基地局の識別子は「４」で、移動端末がハンドオーバーしようとする第２ターゲット基地局の識別子は「５」であるとする。
【０１０７】
移動端末は、ハンドオーバーを開始するために、サービング基地局にハンドオーバー要請メッセージを転送できる（Ｓ３０１）。
【０１０８】
Ｓ３０１段階は、移動端末がハンドオーバーを開始する場合にのみ行われ、サービング基地局がハンドオーバーを開始する場合には行われなくてすむ。すなわち、Ｓ３０１段階は、ハンドオーバー状況によって選択的に行われればよい。
【０１０９】
サービング基地局（ＢＳＩＤ＝３）は、一つ以上の候補基地局に、移動端末に関する情報（ＡＭＳ  ＩＮＦＯＲＭＡＴＩＯＮ）を含むハンドオーバー要請（ＡＡＩ＿ＨＯ−ＲＥＱ）メッセージを転送できる。移動端末に関する情報には、移動端末の媒体アクセス制御アドレス及び／または移動端末コンテクスト（ＡＭＳ  ｃｏｎｔｅｘｔ）などが含まれればよい。ただし、本文書では、説明の簡明さのために、サービング基地局が特定の第１ターゲット基地局（ＢＳＩＤ＝４）にハンドオーバー要請メッセージを転送するとする（Ｓ３０２）。
【０１１０】
第１ターゲット基地局（ＢＳＩＤ＝４）は、移動端末のネットワーク再進入時に使用する専用レンジングコード（ｄｅｄｉｃａｔｅｄ  ｒａｎｇｉｎｇ  ｃｏｄｅ）、レンジング機会（ｒａｇｎｉｎｇ  ｏｐｐｏｒｔｕｎｉｔｙ）、動作時間（Ａｃｔｉｏｎ  Ｔｉｍｅ）パラメータ及びＵＡＩ／ＡＩなどのハンドオーバー関連情報を含むハンドオーバー応答メッセージを、バックボーンネットワークを通じてサービング基地局に転送できる。また、ハンドオーバー応答メッセージには、ネットワーク進入時点を表す動作時間パラメータ及び／またはサービング基地局との関連した情報を維持する時間を表すリソース維持時間パラメータがさらに含まれてもよい（Ｓ３０３）。
【０１１１】
サービング基地局は、ハンドオーバー関連情報と推奨する候補基地局に関する情報をハンドオーバー命令（ＡＡＩ＿ＨＯ−ＣＭＤ）メッセージに含めて移動端末に転送できる。ここで、サービング基地局が推奨する候補基地局に関する情報は、候補基地局の識別子（例えば、ＢＳＩＤ＝４）または候補基地局のリストとすることができる（Ｓ３０４）。
【０１１２】
しかるに、ハンドオーバー命令メッセージに含まれた候補基地局には、移動端末が所望するターゲット基地局がなく、移動端末が所望するターゲット基地局は別にある場合がある。その場合、移動端末はイベントコードを２（ｃｏｄｅ  ２）に設定し、所望のターゲット基地局の識別子（ＢＳＩＤ＝５）を含むハンドオーバー指示（ＡＡＩ＿ＨＯ−ＩＮＤ）メッセージをサービング基地局に転送すればよい。このような過程を通じて、移動端末は第２ターゲット基地局と非制御ハンドオーバーを行うことができる（Ｓ３０５）。
【０１１３】
ただし、移動端末が所望する第２ターゲット基地局（ＢＳＩＤ＝５）とサービング基地局との間にはハンドオーバー準備手順がされておらず、第２ターゲット基地局及び移動端末は保安関連情報及び／または移動端末のステーション識別子などをあらかじめ更新することができない。このため、移動端末の位置秘密性が露出される危険がある。
【０１１４】
そこで、移動端末と第２ターゲット基地局は移動端末の位置秘密性（ｐｒｉｖａｃｙ  ｌｏｃａｔｉｏｎ）を支援するために、ハッシュされたＭＡＣアドレスまたは移動端末のＭＡＣアドレスと臨時ステーション識別子（ｔｅｍｐｏｒａｒｙ  ＳＴＩＤ）を用いてネットワーク再進入手順を行わなければならない。これは、第２ターゲット基地局とサービング基地局とが協力（ｃｏｏｒｄｉｎａｔｉｏｎ）できないため、移動端末に関連した保安コンテクストをこれら基地局が共有できず、ハンドオーバー最適化（ＨＯ  ｏｐｔｉｍｉｚａｔｉｏｎ）が全く行われない状況であるからである。
【０１１５】
移動端末は、自身が所望する第２ターゲット基地局（ＢＳＩＤ＝５）のセル領域に進入し、第２ターゲット基地局から周期的に放送するプリアンブルまたはスーパーフレームヘッダー（ＳＦＨ：ＳｕｐｅｒＦｒａｍｅ  Ｈｅａｄｅｒ）を受信することができる。すなわち、移動端末は、プリアンブルまたはＳＦＨを用いて第２ターゲット基地局とダウンリンク同期（ＤＬ  ｓｙｎｃｈｒｏｎｏｚａｔｉｏｎ）を合わせることができる（Ｓ３０６）。
【０１１６】
移動端末は、第２ターゲット基地局においてネットワーク再進入手順を行うために、ダウンリンク同期を合わせた後の最も早いレンジング機会（ｒａｎｇｉｎｇ  ｏｐｐｏｒｔｕｎｉｔｙ）に、競合ベースのＣＤＭＡレンジングコードを第２ターゲット基地局に転送することができる（Ｓ３０７）。
【０１１７】
ＣＤＭＡレンジングコードを受信した第２ターゲット基地局は、移動端末に、レンジングメッセージを送受信するためのリソース領域を割り当てることができる。このため、第２ターゲット基地局は、割り当てた無線リソースに関する情報を含むレンジング応答（ＡＡＩ＿ＲＮＧ−ＲＳＰ）メッセージを、移動端末に転送することができる（Ｓ３０８）。
【０１１８】
移動端末は、割り当てられたリソース領域を通じてレンジング要請（ＡＡＩ＿ＲＮＧ−ＲＥＱ）メッセージを第２ターゲット基地局に転送することができる。この時、レンジング要請メッセージには、有効なＣＭＡＣタプル（ＣＭＡＣ  Ｔｕｐｌｅ）が含まれてよい（Ｓ３０９）。
【０１１９】
第２ターゲット基地局は、第２ターゲット基地局で使われる移動端末に対する臨時ステーション識別子、及び第２ターゲット基地局で有効なＣＭＡＣタプルを含めてレンジング応答（ＡＡＩ＿ＲＮＧ−ＲＳＰ）メッセージを移動端末に転送することができる（Ｓ３１０）。
【０１２０】
移動端末及び第２ターゲット基地局は、臨時ステーション識別子を用いて性能交渉手順を行うことができ（Ｓ３１１）、認証段階（Ａｕｔｈｏｒｉｚａｔｉｏｎ  Ｐｈａｓｅ）を通じてノンス（ｎｏｎｃｅ）を更新することができる（Ｓ３１２）。
【０１２１】
また、第２ターゲット基地局は、移動端末と管理メッセージを交換することによって、第２ターゲット基地局で移動端末を固有に識別するステーション識別子を割り当てることができる（Ｓ３１３）。
【０１２２】
第２ターゲット基地局と接続を設定した移動端末は、ステーション識別子を用いて第２ターゲット基地局と信頼できるようなデータ送受信を行うことができる（Ｓ３１４）。
【０１２３】
図４は、移動端末がハンドオーバーターゲット基地局へのハンドオーバーに失敗した場合、近隣基地局に第２タイプの非制御ハンドオーバーを行う方法を示す図である。
【０１２４】
すなわち、移動端末（ＡＭＳ）が意図しない誤りにより、基地局が推奨したターゲット基地局にハンドオーバーできなかったが、このような状況をサービング基地局に知らせないまま、他のターゲット基地局に非制御的方式でハンドオーバーを行う場合を示す。図４のＳ４０１段階乃至Ｓ４０４段階は、図３のＳ３０１段階乃至Ｓ３０４段階と同一であり、当該部分についての説明は図３を参照されたい。
【０１２５】
移動端末は、サービング基地局が推奨する第１ターゲット基地局（ＢＳＩＤ＝４）にハンドオーバーを行うために、動作時間に、第１ターゲット基地局にＣＤＭＡレンジングコードを転送することができる。ただし、チャネル状況によって移動端末はレンジング機会時間内（Ｒａｎｇｉｎｇ  Ｏｐｐｏｒｔｕｎｉｔｙ  Ｔｉｍｅ  ｌｉｍｉｔ）に、第１ターゲット基地局にＣＤＭＡレンジングコードを成功的に転送できない場合がある（Ｓ４０５）。
【０１２６】
そのため、移動端末は、第２ターゲット基地局に非制御ハンドオーバー（ｕｎｃｏｎｔｒｏｌｌｅｄ  ＨＯ）を行うことができる。以降、非制御ハンドオーバーを行うＳ４０６段階乃至Ｓ４１４段階は、図３のＳ３０６段階乃至Ｓ３１４段階と同一であり、当該部分は、図３を参照されたい。
【０１２７】
図３及び図４では非制御ハンドオーバーについて説明した。これに対応する制御されたハンドオーバー（または、協力的ハンドオーバー）は、図１及び図２で説明したハンドオーバー方法に該当する。
【０１２８】
図５は、本発明の一実施例であって、ハンドオーバーターゲット基地局へのハンドオーバーに失敗した場合、近隣基地局に非制御ハンドオーバーを行う方法を示す図である。
【０１２９】
図５は、移動端末（ＡＭＳ）が非制御ハンドオーバー状況において他のターゲット基地局にネットワーク再進入を行う場合に、ターゲット基地局で移動端末を固有に識別するステーション識別子（ＳＴＩＤ）が効率的に割り当てられる方法を開示している。図５は、図４と同様の第２タイプの非制御ハンドオーバーを行う場合を示す。
【０１３０】
図５で、サービング基地局は、移動端末がハンドオーバーを行っても、移動端末に関する情報を即座に解除せず、リソース維持タイマー（Ｒｅｓｏｕｒｃｅ  Ｒｅｔａｉｎ  Ｔｉｍｅｒ）だけ保存してもよい。これは、移動端末が再びサービング基地局に戻ったり、非制御ハンドオーバー時に他のターゲット基地局から移動端末に関する情報を要請されたりする場合、移動端末に直ちにサービスを再び提供したり、他のターゲット基地局に移動端末に関する情報を提供したりするためである。
【０１３１】
すなわち、移動端末がターゲット基地局に非制御ハンドオーバーを行う場合、ターゲット基地局が、移動端末がどのサービング基地局から移動したかを知ると、ターゲット基地局が該当のサービング基地局に移動端末に関する情報を要請することによって、移動端末の位置秘密性を保障しながら、残ったハンドオーバー手順またはネットワーク再進入手順を効率的に行うことができる。
【０１３２】
しかしながら、移動端末にサービスを提供したサービング基地局のリソース維持タイマーが満了すると、移動端末はターゲット基地局と初期ネットワーク進入のようなレンジング手順を行わなければならない（ＡＭＳはＳ−ＡＢＳのリソース維持タイマーがいつ満了するかを知っている）。すなわち、ＡＭＳは、ＣＭＡＣタプル（Ｃｈｉｐｅｒ−ｂａｓｅｄ  Ｍｅｓｓａｇｅ  Ａｕｔｈｅｎｔｉｃａｔｉｏｎ  Ｃｏｄｅ  Ｔｕｐｌｅ）の代わりにＡＭＳのＭＡＣアドレスを含むことができる。Ｔ−ＡＢＳがＡＭＳに関する以前基地局情報を要請するためのオプションとして、進入要請／再進入要請はＳ−ＡＢＳの識別子を含むことができる。
【０１３３】
図５のＳ５０１段階乃至Ｓ５０７段階は、図４のＳ４０１段階乃至Ｓ４０７段階と同様であり、該当部分についての説明は、図４及び図３における説明を参照されたい。
【０１３４】
移動端末から競合ベースのＣＤＭＡレンジングコードを受信した第２ターゲット基地局（ＢＳＩＤ＝５）は、移動端末がネットワーク再進入手順を行うためのリソース領域を割り当てることができる。このようなリソース領域に関する割当情報は、ＣＤＭＡ割当情報要素（ＣＤＭＡ  ａｌｌｏｃａｔｉｏｎ  ＩＥ）に含まれればよい。第２ターゲット基地局は、ＣＤＭＡ割当情報要素を含むレンジング応答（ＡＡＩ＿ＲＮＧ−ＲＳＰ）メッセージを、移動端末に転送することができる（Ｓ５０８）。
【０１３５】
移動端末は、ＣＤＭＡ割当情報要素が表すリソース領域を通じてレンジング要請メッセージを第２ターゲット基地局に転送することができる。この時、移動端末は、以前サービング基地局の基地局識別子（ＢＳＩＤ＝３）及び以前サービング基地局で使用したステーション識別子（ＳＴＩＤ＝２）を、レンジング要請メッセージを通じて第２ターゲット基地局に転送することができる（Ｓ５０９）。
【０１３６】
移動端末からレンジング要請メッセージを受信した第２ターゲット基地局は、レンジング要請メッセージに含まれたＢＳＩＤから、移動端末が以前にサービスを受けた基地局がわかる。したがって、第２ターゲット基地局はサービング基地局に、移動端末のＳＴＩＤにマッチングされる移動端末関連情報（ＡＭＳ  ｉｎｆｏｒｍａｔｉｏｎ）を要請することができる（Ｓ５１０）。
【０１３７】
サービング基地局は、リソース維持タイマー内に第２ターゲット基地局から移動端末関連情報の要請を受けると、該当の移動端末に関する情報を第２ターゲット基地局に転送することができる。ここで、移動端末関連情報は、移動端末の媒体アクセス制御アドレス（ＭＡＣ  ａｄｄｒｅｓｓ）、移動端末の一般性能（Ｃａｐａｂｉｌｉｔｙ）、保安関連パラメータ（例えば、保安性能及び認証キー（ＡＫ）など）及びノンス（Ｎｏｎｃｅ）の一つ以上を含むことができる（Ｓ５１１）。
【０１３８】
第２ターゲット基地局は、共有している保安関連パラメータ、ノンス及び認証キーなどを用いて移動端末に対する認証を行うことができる（Ｓ５１２ａ、Ｓ５１２ｂ）。
【０１３９】
第２ターゲット基地局は、Ｓ５０９段階に対する応答として、第２ターゲット基地局で移動端末を固有に識別する新しいステーション識別子（ＳＴＩＤ）及び更新されたノンスなどを含むレンジング応答（ＡＡＩ＿ＲＮＧ−ＲＳＰ）メッセージを、移動端末に転送できる。この時、レンジング応答メッセージには、第２ターゲット基地局で有効なＣＭＡＣタプル（ＣＭＡＣ  Ｔｕｐｌｅ）がさらに含まれてもよい（Ｓ５１３）。
【０１４０】
もし、認証手順（Ｓ５１２ａ、Ｓ５１２ｂ段階）が、ハンドオーバーレンジング手順が終わった後に行われる場合は、第２ターゲット基地局は、新しいステーション識別子の代わりに、移動端末に対するＭＡＣアドレスを保護するための臨時ステーション識別子（Ｔｅｍｐｏｒａｒｙ  ＳＴＩＤ）をレンジング応答メッセージに含めて転送することができる。
【０１４１】
移動端末は、割り当てられたＳＴＩＤを用いて第２ターゲット基地局と正常の情報交換を行うことができる（Ｓ５１４）。
【０１４２】
図６は、本発明の他の実施例であって、ハンドオーバーターゲット基地局へのハンドオーバーに失敗した場合、近隣基地局に非制御ハンドオーバーを行う方法の一つを示す図である。
【０１４３】
図６は、移動端末（ＡＭＳ）が非制御ハンドオーバー状況において他のターゲット基地局へとネットワーク再進入を行う場合に、ターゲット基地局で移動端末を固有に識別するステーション識別子（ＳＴＩＤ）が効率的に割り当てられる方法を開示している。図６は、図３と同様な第１タイプの非制御ハンドオーバーを行う場合を示す。
【０１４４】
図６で、移動端末（ＡＭＳ）に割り当てられたステーション識別子（ＳＴＩＤ）は、「２」であり、サービング基地局の識別子（ＢＳＩＤ）は「３」であり、候補基地局のうち、第１ターゲット基地局の識別子は「４」で、移動端末がハンドオーバーしようとする第２ターゲット基地局の識別子は「５」であるとする。
【０１４５】
移動端末は、ハンドオーバーを開始するために、サービング基地局にハンドオーバー要請メッセージを転送することができる（Ｓ６０１）。
【０１４６】
Ｓ６０１段階は、移動端末がハンドオーバーを開始する場合にのみ行われ、サービング基地局がハンドオーバーを開始する場合には行われなくて済む。すなわち、Ｓ６０１段階はハンドオーバー状況によって選択的に行えばよい。
【０１４７】
サービング基地局（ＢＳＩＤ＝３）は、一つ以上の候補基地局に、移動端末に関する情報（ＡＭＳ  ｉｎｆｏｒｍａｔｉｏｎ）を含むハンドオーバー要請（ＡＡＩ＿ＨＯ−ＲＥＱ）メッセージを転送することができる。ただし、本文書では、説明の簡明さのために、サービング基地局が特定の第１ターゲット基地局（ＢＳＩＤ＝４）にハンドオーバー要請メッセージを転送するとする（Ｓ６０２）。
【０１４８】
第１ターゲット基地局（ＢＳＩＤ＝４）は、移動端末のネットワーク再進入時に使用する専用レンジングコード（ｄｅｄｉｃａｔｅｄ  ｒａｎｇｉｎｇ  ｃｏｄｅ）、レンジング機会（ｒａｇｎｉｎｇ  ｏｐｐｏｒｔｕｎｉｔｙ）、動作時間（Ａｃｔｉｏｎ  Ｔｉｍｅ）パラメータ及びＵＡＩ／ＡＩなどのハンドオーバー関連情報を含むハンドオーバー応答メッセージを、バックボーンネットワークを通じてサービング基地局に転送することができる（Ｓ６０３）。
【０１４９】
サービング基地局は、ハンドオーバー関連情報と推奨する候補基地局（例えば、ＢＳＩＤ＝４）に関する情報をハンドオーバー命令（ＡＡＩ＿ＨＯ−ＣＭＤ）メッセージに含めて移動端末に転送することができる（Ｓ６０４）。
【０１５０】
移動端末は、サービング基地局が推奨したターゲット基地局以外のターゲット基地局にハンドオーバーを行いたい場合、所望のターゲット基地局に関する情報（例えば、ＢＳＩＤ＝５）を含むハンドオーバー指示（ＡＡＩ＿ＨＯ−ＩＮＤ）メッセージを、サービング基地局に転送すればいい。この時、ハンドオーバー指示メッセージは、イベントコードが２（ｃｏｄｅ  ２）に設定されて転送されてもよい（Ｓ６０５）。
【０１５１】
こうすると、サービング基地局は、移動端末がハンドオーバーを行うターゲット基地局が第２ターゲット基地局であることがわかる。したがって、ユーザーの要求事項に応じて、サービング基地局はリソース維持タイマーを再設定し、移動端末に関する情報を第２ターゲット基地局に提供することができる。
【０１５２】
移動端末は、自身が所望する第２ターゲット基地局（ＢＳＩＤ＝５）のセル領域に進入して、第２ターゲット基地局から周期的に放送するプリアンブルまたはスーパーフレームヘッダー（ＳＦＨ）を受信することができる。すなわち、移動端末は、プリアンブルまたはＳＦＨを用いて第２ターゲット基地局とダウンリンク同期（ＤＬ  ｓｙｎｃｈ．）を合わせることができる（Ｓ６０６）。
【０１５３】
移動端末は、第２ターゲット基地局にネットワーク再進入手順を行うために、ダウンリンク同期を合わせた後の最初のレンジング機会に、競合ベースのＣＤＭＡレンジングコードを第２ターゲット基地局に転送することができる（Ｓ６０７）。
【０１５４】
移動端末から競合ベースのＣＤＭＡレンジングコードを受信した第２ターゲット基地局（ＢＳＩＤ＝５）は、移動端末がネットワーク再進入手順を行うためのリソース領域を割り当てることができる。このようなリソース領域に関する割当情報は、ＣＤＭＡ割当情報要素（ＣＤＭＡ  ａｌｌｏｃａｔｉｏｎ  ＩＥ）に含まれればよい。第２ターゲット基地局は、ＣＤＭＡ割当情報要素を含むレンジング応答（ＡＡＩ＿ＲＮＧ−ＲＳＰ）メッセージを移動端末に転送することができる（Ｓ６０８）。
【０１５５】
移動端末は、ＣＤＭＡ割当情報要素が表すリソース領域を通じてレンジング要請メッセージを第２ターゲット基地局に転送することができる。この時、移動端末は、以前サービング基地局の基地局識別子（ＢＳＩＤ＝３）と以前サービング基地局で使用したステーション識別子（ＳＴＩＤ＝２）を、レンジング要請メッセージを通じて第２ターゲット基地局に転送することができる（Ｓ６０９）。
【０１５６】
移動端末からレンジング要請メッセージを受信した第２ターゲット基地局は、レンジング要請メッセージに含まれたＢＳＩＤから、移動端末が以前にサービスを受けた基地局がわかる。したがって、第２ターゲット基地局は、サービング基地局に、移動端末のＳＴＩＤにマッチングされる移動端末に関する情報（ＡＭＳ  ｉｎｆｏｒｍａｔｉｏｎ）を要請することができる（Ｓ６１０）。
【０１５７】
サービング基地局は、リソース維持タイマー内に第２ターゲット基地局から移動端末に関する情報の要請を受けると、該当の移動端末関連情報を第２ターゲット基地局に転送することができる。この時、移動端末関連情報は、移動端末の媒体アクセス制御アドレス（ＭＡＣ  ａｄｄｒｅｓｓ）、移動端末の一般性能（Ｃａｐａｂｉｌｉｔｙ）、保安関連パラメータ（例えば、保安性能及び認証キー（ＡＫ）など）及びノンス（Ｎｏｎｃｅ）の一つ以上を含むことができる（Ｓ６１１）。
【０１５８】
第２ターゲット基地局は、共有している保安関連パラメータ、ノンス及び認証キーなどを用いて移動端末に対する認証を行うことができる（Ｓ６１２ａ、Ｓ６１２ｂ）。
【０１５９】
第２ターゲット基地局は、Ｓ６０９段階に対する応答として、第２ターゲット基地局で移動端末を固有に識別する新しいステーション識別子（ＳＴＩＤ）及び更新されたノンスなどを含むレンジング応答（ＡＡＩ＿ＲＮＧ−ＲＳＰ）メッセージを、移動端末に転送することができる。この時、レンジング応答メッセージには、第２ターゲット基地局で有効なＣＭＡＣタプル（ＣＭＡＣ  Ｔｕｐｌｅ）がさらに含まれてもよい（Ｓ６１３）。
【０１６０】
もし、認証手順（Ｓ６１２ａ、Ｓ６１２ｂ段階）が、ハンドオーバーレンジング手順が終わった後に行われる場合は、第２ターゲット基地局は、新しいステーション識別子の代わりに、移動端末に対するＭＡＣアドレスを保護するための臨時ステーション識別子（Ｔｅｍｐｏｒａｒｙ  ＳＴＩＤ）をレンジング応答メッセージに含めて転送することができる。
【０１６１】
移動端末は、割り当てられたＳＴＩＤまたは臨時ステーション識別子を用いて第２ターゲット基地局と正常の情報交換を行うことができる（Ｓ６１４）。
【０１６２】
図７は、本発明の他の実施例であって、ハンドオーバーターゲット基地局へのハンドオーバーに失敗した場合、近隣基地局に非制御ハンドオーバーを行う方法の他の例を示す図である。
【０１６３】
図７の非制御ハンドオーバーは、基本的に、図６の非制御ハンドオーバー手順と略同様である。したがって、図７のＳ７０１段階乃至Ｓ７０５段階についての説明は、図６のＳ６０１段階乃至Ｓ６０５段階についての説明を参照されたい。
【０１６４】
サービング基地局は、Ｓ７０５段階で、ハンドオーバー指示メッセージを受信することから、移動端末がハンドオーバーを行う第２ターゲット基地局がわかる。したがって、サービング基地局は、移動端末が所望する第２ターゲット基地局に、バックボーンネットワークを通じて移動端末に関する情報及び／またはサービング基地局の識別子（ＢＳＩＤ＝３）を含むハンドオーバー要請（ＨＯ−ＲＥＱ）メッセージを転送することができる。この時、移動端末に関する情報は、移動端末コンテクスト、ステーション識別子、移動端末の一般性能（ｃａｐａｂｉｌｉｔｙ）、保安関連情報及び移動端末の媒体アクセス制御アドレス（ＭＡＣ  ａｄｄｒｅｓｓ）を含むことができる（Ｓ７０６）。
【０１６５】
Ｓ７０６段階で、ハンドオーバー要請メッセージを受信したターゲット基地局は、所定の期間の間に移動端末に関する情報を保存していればよい。
【０１６６】
移動端末は、自身が所望する第２ターゲット基地局（ＢＳＩＤ＝５）のセル領域に進入して、第２ターゲット基地局から周期的に放送するプリアンブルまたはスーパーフレームヘッダー（ＳＦＨ）を受信することができる。すなわち、移動端末は、プリアンブルまたはＳＦＨを用いて第２ターゲット基地局とダウンリンク同期（ＤＬ  ｓｙｎｃｈ．）を合わせることができる（Ｓ７０７）。
【０１６７】
移動端末は、第２ターゲット基地局にネットワーク再進入手順を行うために、ダウンリンク同期を合わせた後の最初のレンジング機会に、競合ベースのＣＤＭＡレンジングコードを第２ターゲット基地局に転送することができる（Ｓ７０８）。
【０１６８】
移動端末から競合ベースのＣＤＭＡレンジングコードを受信した第２ターゲット基地局（ＢＳＩＤ＝５）は、移動端末がネットワーク再進入手順を行うためのリソース領域を割り当てることができる。このようなリソース領域に関する割当情報は、ＣＤＭＡ割当情報要素（ＣＤＭＡ  ａｌｌｏｃａｔｉｏｎ  ＩＥ）に含まれればよい。第２ターゲット基地局は、ＣＤＭＡ割当情報要素を含むレンジング応答（ＡＡＩ＿ＲＮＧ−ＲＳＰ）メッセージを移動端末に転送することができる（Ｓ７０９）。
【０１６９】
移動端末は、ＣＤＭＡ割当情報要素が表すリソース領域を通じてレンジング要請メッセージを第２ターゲット基地局に転送することができる。この時、移動端末は、以前サービング基地局の基地局識別子（ＢＳＩＤ＝３）と以前サービング基地局で使用したステーション識別子（ＳＴＩＤ＝２）をレンジング要請メッセージを通じて第２ターゲット基地局に転送することができる（Ｓ７１０）。
【０１７０】
第２ターゲット基地局は、移動端末から以前サービング基地局の識別子（ＢＳＩＤ＝３）と以前サービング基地局で使用したステーション識別子（ＳＴＩＤ＝２）を受信すると、Ｓ７０６段階で受信して保存しておいた移動端末に関する情報及び／または基地局識別子と比較して、移動端末関連情報（例えば、ＭＡＣアドレス）を獲得することができる。
【０１７１】
これで、第２ターゲット基地局及び移動端末は、追加の手順無しで直ちに認証手順を行うことができる（Ｓ７１１ａ、Ｓ７１１ｂ）。
【０１７２】
第２ターゲット基地局は、Ｓ７１０段階に対する応答として、第２ターゲット基地局で移動端末を固有に識別する新しいステーション識別子（ｎｅｗ  ＳＴＩＤ）及び更新されたノンスなどを含むレンジング応答（ＡＡＩ＿ＲＮＧ−ＲＳＰ）メッセージを、移動端末に転送することができる。この時、レンジング応答メッセージには、第２ターゲット基地局で有効なＣＭＡＣタプル（ＣＭＡＣ  Ｔｕｐｌｅ）がさらに含まれてもよい（Ｓ７１２）。
【０１７３】
もし、認証手順（Ｓ７１１ａ、Ｓ７１１ｂ段階）が、ハンドオーバーレンジング手順が終わった後に行われると、第２ターゲット基地局は、新しいステーション識別子の代わりに、移動端末に対するＭＡＣアドレスを保護するための臨時ステーション識別子（Ｔｅｍｐｏｒａｒｙ  ＳＴＩＤ）をレンジング応答メッセージに含めて転送することができる。
【０１７４】
移動端末は、割り当てられたＳＴＩＤを用いて第２ターゲット基地局と正常の情報交換を行うことができる（Ｓ７１３）。
【０１７５】
図８は、本発明の他の実施例であって、ハンドオーバーターゲット基地局へのハンドオーバーに失敗した場合、近隣基地局に非制御ハンドオーバーを行う方法のさらに他の例を示す図である。
【０１７６】
図８の基本的な仮定は、図６とそれと同一である。したがって、Ｓ８０１段階乃至Ｓ８０５段階についての説明は、図６のＳ６０１段階乃至Ｓ６０５段階についての説明を参照されたい。
【０１７７】
サービング基地局（ＢＳＩＤ＝３）は、移動端末が所望する第２ターゲット基地局（ＢＳＩＤ＝５）に、移動端末関連情報（ＡＭＳ  ＩＮＦＯＲＭＡＴＩＯＮ）を含むハンドオーバー要請（ＨＯ−ＲＥＱ）メッセージを転送することができる（Ｓ８０６）。
【０１７８】
第２ターゲット基地局（ＢＳＩＤ＝５）は、移動端末のネットワーク再進入時に使用する専用レンジングコード（ｄｅｄｉｃａｔｅｄ  ｒａｎｇｉｎｇ  ｃｏｄｅ）、レンジング機会（ｒａｇｎｉｎｇ  ｏｐｐｏｒｔｕｎｉｔｙ）、動作時間（Ａｃｔｉｏｎ  Ｔｉｍｅ）パラメータ及び／またはＵＡＩ／ＡＩなどのハンドオーバー関連情報を含むハンドオーバー応答（ＨＯ−ＲＳＰ）メッセージを、バックボーンネットワークを通じてサービング基地局に転送することができる（Ｓ８０７）。
【０１７９】
サービング基地局は、受信したハンドオーバー関連情報をハンドオーバー命令（ＡＡＩ＿ＨＯ−ＣＭＤ）メッセージに含めて移動端末に転送することができる（Ｓ８０８）。
【０１８０】
移動端末は、自身が所望する第２ターゲット基地局（ＢＳＩＤ＝５）のセル領域に進入して、第２ターゲット基地局から周期的に放送するプリアンブルまたはスーパーフレームヘッダー（ＳＦＨ）を受信することができる。すなわち、移動端末は、プリアンブルまたはＳＦＨを用いて第２ターゲット基地局とダウンリンク同期（ＤＬ  ｓｙｎｃｈ．）を合わせることができる（Ｓ８０９）。
【０１８１】
移動端末は、第２ターゲット基地局にネットワーク再進入手順を行うために、Ｓ８０８段階で受信したハンドオーバー関連情報のうちの専用レンジングコード及びレンジング機会を用いて第２ターゲット基地局にＣＤＭＡレンジングコードを転送することができる。他の方法として、移動端末は、第２ターゲット基地局とダウンリンク同期を合わせた後の最初のレンジング機会に、競合ベースのＣＤＭＡレンジングコードを第２ターゲット基地局に転送してもよい（Ｓ８１０）。
【０１８２】
その後、移動端末が第２ターゲット基地局と行うレンジング手順などに関するＳ８１１段階乃至Ｓ８１７段階はそれぞれ、図６のＳ６０８段階乃至Ｓ６１４段階と同一である。したがって、Ｓ８１１段階乃至Ｓ８１７段階についての説明は、図６を参照すればいい。
【０１８３】
図９は、本発明のさらに他の実施例として、図２乃至図８で説明した本発明の各実施例を実行できる移動端末及び基地局を示す図である。
【０１８４】
移動端末は、アップリンクでは送信機として動作し、ダウンリンクでは受信機として動作できる。また、基地局は、アップリンクでは受信機として動作し、ダウンリンクでは送信機として動作できる。
【０１８５】
すなわち、移動端末及び基地局は、情報、データ及び／またはメッセージの転送及び受信を制御するためにそれぞれ、送信モジュール（Ｔｘ  ｍｏｄｕｌｅ）９４０，９５０、及び受信モジュール（Ｒｘ  ｍｏｄｕｌｅ）９６０，９７０を含むことができ、なお、情報、データ及び／またはメッセージを送受信するためのアンテナ９００，９１０などを含むことができる。また、移動端末及び基地局はそれぞれ、上述した本発明の実施例を行うためのプロセッサ９２０，９３０、及びプロセッサの処理過程を臨時的にまたは持続的に保存できるメモリー９８０，９９０を含むことができる。
【０１８６】
特に、プロセッサ９２０，９３０は、本発明の各実施例で開示したハンドオーバー手順を行うためのハンドオーバーモジュール、所定個数のタイマーメッセージを暗号化するための暗号化モジュール（または、手段）及び／または暗号化されたメッセージを解釈するための複号化モジュール（または、手段）などをさらに含むことができる。また、図９の移動端末及び基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールをさらに含むことができる。
【０１８７】
移動端末及び基地局に含まれた送信モジュール及び受信モジュールは、データ転送のためのパケット変復調機能、高速パケットチャネルコーディング機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及び／またはチャネル多重化機能を行うことができる。
【０１８８】
また、移動端末及び基地局に含まれたプロセッサは、上述した本発明の非協力的ハンドオーバーを行うための制御機能、ハンドオーバー（ＨａｎｄＯｖｅｒ）機能、認証及び暗号化機能、サービス特性及び伝搬環境によるＭＡＣ（Ｍｅｄｉｕｍ  Ａｃｃｅｓｓ  Ｃｏｎｔｒｏｌ）フレーム可変制御機能、高速トラフィック実時間制御機能及び／または実時間モデム制御機能などを行うことができる。
【０１８９】
図９で説明した装置は、図１乃至図８で説明した方法を具現できる手段である。上述した移動端末及び基地局装置の構成成分及び機能を用いて本願発明の実施例を実行することができる。
【０１９０】
移動端末に設けられたプロセッサ９２０は、ハンドオーバーを制御できるハンドオーバーモジュールを備えている。移動端末は、ハンドオーバーモジュールを用いてハンドオーバー機能を行うことができる。
【０１９１】
移動端末のプロセッサ９２０は、図１及び図２で説明したハンドオーバー条件をモニタリングできる。もし、ハンドオーバー始発条件を満たすと、プロセッサ９２０は、ハンドオーバー要請メッセージに移動端末関連情報を含め、送信モジュール９４０を制御してハンドオーバー要請メッセージをアンテナ９００からサービング基地局に転送することができる。
【０１９２】
また、移動端末の受信モジュール９６０は、サービング基地局から転送されたハンドオーバー命令メッセージを受信して、プロセッサ９２０に伝達し、プロセッサは、ハンドオーバー命令メッセージに含まれたハンドオーバー関連情報をメモリーに保存し、ハンドオーバー関連情報を用いてハンドオーバー動作を行うことができる。
【０１９３】
移動端末のプロセッサは、上述した制御ハンドオーバーまたは非制御ハンドオーバーのいずれかを行うかを決定でき、本発明の実施例では、非制御ハンドオーバーを行うとした。したがって、移動端末は、プロセッサ、送信モジュール及びアンテナを用いてハンドオーバー指示メッセージを基地局に転送することができる。
【０１９４】
移動端末は、プロセッサに含まれたハンドオーバーモジュールを用いて、図３乃至図８で説明したネットワーク再進入手順をターゲット基地局と行うことができ、該当のメッセージを送信モジュール、受信モジュール及びアンテナを用いて送受信できる。プロセッサは、このようなハンドオーバー手順を制御する機能を果たす。
【０１９５】
サービング基地局の受信モジュール９７０は、アンテナ９１０から受信したハンドオーバー要請メッセージ及び／またはハンドオーバー指示メッセージをプロセッサ９３０に伝達することができる。プロセッサ９３０は、メモリー９９０に移動端末関連情報を保存し、ハンドオーバー関連情報を含むハンドオーバー命令メッセージを、送信モジュール９５０を介して移動端末に転送することができる。
【０１９６】
ターゲット基地局は、アンテナ、送信モジュール及び受信モジュールを用いて、図３乃至図８で説明したネットワーク再進入手順を移動端末と行うことができる。すなわち、ターゲット基地局は、プロセッサのハンドオーバーモジュールを用いてハンドオーバー手順を管理し、それによる動作を行うためのメッセージを移動端末と送受信できる。
【０１９７】
一方、本発明において、移動端末には、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートブック型ＰＣ、スマート（Ｓｍａｒｔ）フォンまたはマルチモードマルチバンド（ＭＭ−ＭＢ：Ｍｕｌｔｉ  Ｍｏｄｅ−Ｍｕｌｔｉ  Ｂａｎｄ）端末機などを用いることができる。
【０１９８】
ここで、スマートフォンとは、移動通信端末機と個人携帯端末機のメリットを結合した端末機で、移動通信端末機に、個人携帯端末機の機能である日程管理、ファックス送受信及びインターネット接続などのデータ通信機能を組み合わせた端末機のことを意味する。また、マルチモードマルチバンド端末機とは、マルチモデムチップを組み込んでおり、携帯インターネットシステム及び他の移動通信システム（例えば、ＣＤＭＡ（Ｃｏｄｅ  Ｄｉｖｉｓｉｏｎ  Ｍｕｌｔｉｐｌｅ  Ａｃｃｅｓｓ）２０００システム、ＷＣＤＭＡ（Ｗｉｄｅｂａｎｄ  ＣＤＭＡ）システム等）のいずれにおいても作動できる端末機のことをいう。
【０１９９】
本発明に係る実施例は、様々な手段、例えば、ハードウェア、ファームウェア（ｆｉｒｍｗａｒｅ）、ソフトウェアまたはそれらの結合などにより具現することができる。
【０２００】
ハードウェアによる具現の場合、本発明の実施例に係る方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０２０１】
ファームウェアやソフトウェアによる具現の場合、本発明の実施例に係る方法は、以上で説明された機能または動作を行うモジュール、手順または関数などの形態とすることができる。例えば、ソフトウェアコードは、メモリーユニット９８０，９９０に保存され、プロセッサ９２０，９３０により駆動されてよい。メモリーユニットは、プロセッサの内部または外部に設けられて、公知の様々な手段によりプロセッサとデータを交換することができる。
【０２０２】
本発明は、本発明の技術的思想及び必須特徴を逸脱しない範囲で他の特定の形態に具体化可能であるということは、当業者にとっては明らかである。したがって、上記の詳細な説明は、いずれの面においても制約的に解析されてはならず、例示的なものとして考慮されなければならない。本発明の範囲は、添付した請求項の合理的な解析により決定されるべきであり、よって、本発明の等価的範囲内における変更はいずれも本発明の範囲に含まれる。なお、特許請求の範囲で明示的な引用関係を有しない請求項を結合して実施例を構成したり、出願後の補正により新しい請求項として含めることができるということは明らかである。
【産業上の利用可能性】
【０２０３】
本発明の各実施例は、様々な無線接続システムに適用することができる。様々な無線接続システムの例には、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／またはＩＥＥＥ  ８０２．ｘｘ（Iｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の各実施例は、上記様々な無線接続システムの他に、上記様々な無線接続システムを応用したいずれの技術分野にも適用することができる。
【図１】
0005221814.tif 000003
【図２】
0005221814.tif 000004
【図３】
0005221814.tif 000005
【図４】
0005221814.tif 000006
【図５】
0005221814.tif 000007
【図６】
0005221814.tif 000008
【図７】
0005221814.tif 000009
【図８】
0005221814.tif 000010
【図９】
0005221814.tif 000011